(57)【要約】位置決めおよび電流搬送能力に関して改善された特性を有する開閉装置の開閉極用の接続具を提供するべく、この開閉装置の開閉極（１６）用の接続具（１）は、開閉極（１６）内に配置された真空バルブ（１７）の可動接点接続ボルト（１８）と導電接続するため、および、真空バルブ（１７）を位置決めするための、位置決めリング（９）を有しており、その位置決めリング（９）は、導電材料から形成されていて、接続手段（１４，１５）を介して接続具（１）の接続領域（２）に導電接続されている。【選択図】図１
2016535400.tif 000002
【特許請求の範囲】
【請求項１】
開閉極（１６）内に配置された真空バルブ（１７）の可動接点接続ボルト（１８）に導電接続するための、開閉装置の開閉極用の接続具（１）であって、
当該接続具（１）が、前記真空バルブ（１７）を位置決めするための位置決めリング（９）を有し、
前記位置決めリング（９）が、導電材料から形成されており、かつ、接続手段（１４、１５）を介して前記接続具（１）の接続領域（２）に導電接続されている
ことを特徴とする接続具。
【請求項２】
請求項１記載の接続具（１）において、
前記位置決めリング（９）が、前記可動接点接続ボルト（１８）に対する導電滑り軸受の形で差し込みガイド（１１）を有する
ことを特徴とする接続具。
【請求項３】
請求項１または２記載の接続具（１）において、
前記位置決めリング（９）が、換気孔（１３）を有する
ことを特徴とする接続具。
【請求項４】
請求項２または３の１つに記載の接続具（１）において、
前記差し込みガイド（１１）が、前記可動接点接続ボルト（１８）の二面幅に相当する当接面（１２）を有する
ことを特徴とする接続具。
【発明の詳細な説明】
【技術分野】
【０００１】
本発明は、開閉装置の開閉極用の接続具に関する。
【背景技術】
【０００２】
特許文献１から、真空バルブが位置決めリング（心出しリング(Zentrierring)）によって極ハウシング内で心出しされて保持される開閉装置の開閉極が知られている。この場合、開閉極の接続具に可動接点接続ボルトを導電接続するために、可撓性の電流リードが設けられる。
【先行技術文献】
【特許文献】
【０００３】
【特許文献１】国際特許公表第２００７／０１６８８２号パンフレット
【発明の概要】
【発明が解決しようとする課題】
【０００４】
本発明の課題は、開閉極が位置決め(心出し(Zentrier))および電流搬送能力に関して改善された特性を有する、開閉装置の開閉極用の接続具を提供することにある。
【課題を解決するための手段】
【０００５】
上述の課題は、本発明によれば、開閉装置の開閉極を開閉極内に配置された真空バルブの可動接点接続ボルトに導電接続するための接続具において、その接続具が、真空バルブを位置決めするための位置決めリングを有し、その位置決めリングが、導電材料から形成され、接続手段を介して接続具の接続領域に導電接続されるようにする、という手段によって解決される。
【０００６】
開閉装置、例えば配電開閉設備に用いられる中圧電力開閉装置用の開閉極において、接続具は、一方では、開閉極内に配置された真空バルブの可動接点接続ボルトの導電接続のために、かつ他方では、開閉設備を介して案内される電流の開閉もしくは遮断のための開閉装置が設けられている開閉設備の電流案内部材との接続のために、設けられている。この種の開閉装置は、典型的には３相で形成され、それら各相が、それぞれ１つの極を備えていると共に制御装置に接続されており、その制御装置は、開閉装置を介して案内される電流を開閉もしくは遮断するための制御信号を、開閉装置に送る。その場合に、本発明による接続具は特に有利であり、かつ、開閉極の特性を改善する。なぜなら、接続具の接続領域に接続手段を介して導電接続され機械的に連結される位置決めリングによって、真空バルブの可動接点接続ボルトと接続領域との間に電流路が形成され、それが可動接点接続ボルトを接続具に接続する可撓性の電流リードと共に、開閉極の電流搬送能力を高める働きをするからである。
【０００７】
本発明の有利な一実施の態様では、位置決めリングは、可動接点接続ボルト用の差し込みガイドを、導電性の滑り軸受の形で有する。その位置決めリング内の真空バルブの可動接点接続ボルト用の差し込みガイドの導電性の滑り軸受によれば、一方では、導電性の滑り軸受、位置決めリング、そしてその位置決めリングを接続具に接続するための接続具の導電接続手段によって、可撓性の電流リードを介して形成される電流路に対して補助的な電流路が形成され、以て開閉極の電流搬送能力が高められ、他方では、差し込みガイドによって、真空バルブの可動接点接続ボルトの確実な案内が可能となる。
【０００８】
本発明の特に有利な一実施の態様では、位置決めリングが換気孔を有する。このような位置決めリング内の換気孔によって、接続具の冷却効果が得られるので、装置全体の電流搬送能力が、さらに改善される。
【０００９】
本発明の、さらに有利な一実施の態様では、差し込みガイドに可動接点接続ボルトの二面幅に相当する幅を有する当接面が設けられる。このような差し込みガイドにおける可動接点接続ボルトの二面幅に相当する二面幅を有する当接面によって、開閉極の取り付けが簡単になり、特に真空バルブの取り付けおよび位置決めの際に、その真空バルブの可動接点接続ボルトは、別個に保持される必要がなくなり、しかも差し込みガイドの当接面によって保持されるので回転が確実に防止されることとなり、特に有利である。
【００１０】
以下、本発明を、添付の図面を参照しつつ図面および実施例に基づいて、詳細に説明する。
【図面の簡単な説明】
【００１１】
【図１】本発明による接続具の一実施例の立体図である。
【図２】本発明による接続具を備えた開閉装置の開閉極の部分断面図である。
【発明を実施するための形態】
【００１２】
図１は、開閉装置の開閉極内に配置された真空バルブ（図１には図示されていない）の可動接点接続ボルトに導電接続するための接続具１を立体視で示したものであり、ここに、接続具１は、開閉装置が装着される開閉設備の電流案内部材に導電接続するための固定手段３、４を備えた接続領域２を有する。さらに、可撓性の電流リード（以下に図２を参照して詳述）を固定するための固定手段５、６が設けられていて、可撓性電流リードが開閉装置の真空バルブの可動接点接続ボルトに同様に導電接続される。さらには、別の固定手段７、８が、典型的には絶縁材料からなる開閉極もしくは極ハウジングに接続具１を固定するべく設けられている。接続具１は、さらに、位置決めリング９を備えており、その内径１０が開閉極の真空バルブの外径に相応しているので、位置決めリング９は、真空バルブの位置決めおよび保持に適したものとなっている。位置決めリング９は、差し込みガイド１１を有しており、このガイドを真空バルブの可動接点接続ボルトが貫通して延び、その中で案内される。さらに、差し込みガイド１１の上方部分には、当接面１２が設けられており、その二面幅は可動接点接続ボルトの二面幅に相応するので、開閉極の取り付けもしくは真空バルブの設置と同時に、可動接点接続ボルトの回転防止が成立する。換気孔が、ここでは符号１３を付して１個のみが例示されているが、位置決めリング９内に設けられているので、空気の循環を可能とすると共に保証し、以て装置全体の冷却効果に寄与する。接続手段１４、１５は、位置決めリング９を接続具１の接続領域２に接続し、位置決めリング９を接続領域２に固定するように、接続具１を形成しているものであって、この接続具１が全体的に、そのうちでも特に接続手段１４，１５および位置決めリング９が、差し込みガイドと共に導電材料から形成されているので、可動接点接続ボルト用の滑り軸受を形成する差し込みガイド１１、位置決めリング９および接続手段１４、１５を介して、１つの電流路が形成され、これを介して少なくとも部分的に真空バルブを通って案内された電流が、接続具１の接続領域２に、従ってまた、接続具１に接続された開閉設備の電流案内部材に、流れることが可能となる。
【００１３】
図２は、図示しない開閉装置の開閉極１６の部分断面図であり、その開閉装置は、例えば配電開閉設備用の中圧電力開閉装置として設けられ、典型的には３相であり、その各相にそれぞれ１つの開閉極１６が形成されている。
開閉極１６は真空バルブ１７を備えており、その接点系（詳細に図示せず）は、可動接点と固定接点とを有し、その可動接点は、可動接点接続ボルト１８に駆動運動を導入するための同様に図示されていない駆動機構に、可動接点接続ボルト１８および絶縁駆動棒１９を介して、機械的に連結されており、この接点系を介して案内される電流の開閉、すなわち開閉極１６を流れる電流の開閉または遮断が行われる。そのために、絶縁駆動棒１９が、固定手段２０を介して、可動接点接続ボルト１８に機械的に連結されている。開閉極１６は、さらに、極ハウジング２１を有しており、これは典型的には絶縁材料、例えばエポキシ樹脂から形成され、個々の開閉極ならびに開閉装置の接地されたハウジング部材の相互間の電気的絶縁に用いられる。接続具１は、開閉極１６内に設けられて、可動接点接続ボルト１８との導電接続、および、開閉装置が装着される開閉設備の図示しない電流案内部材への電気的接続を為すものであり、可撓性の電流リード２２を介して、可動接点接続ボルト１８と導電接続されている。可動接点接続ボルト１８は、差し込みガイド１１内に案内され、それと同時に、その差し込みガイド１１が導電性の滑り軸受としても機能する。接続具１を全体的に導電材料から形成することにより、電流リード２２の他にも、差し込みガイド１１の滑り軸受および接続手段１４，１５によって、接続具１の接続領域２への１つのさらなる電流路が形成されるので、この接続具１によれば、全体として開閉極のさらに大きな電流搬送能力が保証および形成される。差し込みガイド１１の当接面１２によって、さらに、開閉極内の真空バルブ１７の組み立てが簡単になる。なぜなら、その組み立ての際に、可動接点接続ボルト１８は、もはや別個に保持される必要がなくなり、それに代わって当接面１２により可動接点接続ボルト１８の回転が防止されるからである。換気孔１３によって、さらに開閉極１６の全範囲の冷却効果が保証されるので、全体として開閉装置の開閉極１６は、接続具１によって、真空バルブ１７の位置決め、可動接点接続ボルト１８の案内、電流搬送能力、および、組み立てに関して、改善された特性を有するものとなる。
【符号の説明】
【００１４】
１          接続具
２          接続領域
３，４      固定手段
５，６      電流リードの固定手段
７，８      その他の固定手段
９          位置決めリング
１０        内径
１１        差し込みガイド
１２        当接面
１３        換気孔
１４，１５  接続手段
１６        開閉極
１７        真空バルブ
１８        可動接点接続ボルト
１９        絶縁駆動棒
２０        固定手段
２１        極ハウジング
２２        可撓性の電流リード
【図１】
2016535400.tif 000003
【図２】
2016535400.tif 000004
【国際調査報告】
2016535400.tif 000005
2016535400.tif 000006
2016535400.tif 000007
2016535400.tif 000008
2016535400.tif 000009
2016535400.tif 000010